(57)【特許請求の範囲】
【請求項１】
液晶表示パネルの平面形状の外形が、９０°でない角部を少なくとも１つ有する液晶表示装置において、
液晶表示パネルと該液晶表示パネルを支持するフレームとの間には、該液晶表示パネルの外形の辺に沿ったクッションテープを配置し、
前記９０°でない角部では、該角部に繋がる２つの辺のクッションテープを接触させて配置すると共に、少なくとも一方の辺のクッションテープの先端は、丸く形成されていることを特徴とする液晶表示装置。
【請求項２】
請求項１に記載の液晶表示装置において、該フレームには、バックライトが支持されていることを特徴とする液晶表示装置。
【請求項３】
請求項１又は２に記載の液晶表示装置において、該液晶表示パネルは、横電界方式の液晶表示パネルであることを特徴とする液晶表示装置。
【発明の詳細な説明】
【技術分野】
【０００１】
本発明は、液晶表示装置に関し、特に、液晶表示パネルの平面形状の外形が、９０°でない角部を少なくとも１つ有する異形（即ち矩形状ではない）液晶表示装置に関する。
【背景技術】
【０００２】
従来の液晶表示装置は、矩形状の液晶表示パネルを利用した液晶表示装置が一般的であるが、最近では、大型モニタ、アミューズメント用表示装置、産業機械用表示装置、及び車載用液晶表示装置などでは、液晶表示パネルの平面形状の外形が、９０°でない角部を有する異形液晶表示装置が求められている。
【０００３】
特許文献１は、異形液晶表示装置の一例を示す先行文献である。図１は、異形液晶表示装置に使用される液晶表示パネルＬＣＰと、該液晶表示パネルの裏面に貼り付けられるクッションテープ（ＣＴ１，ＣＴ２）の様子を示す図である。符号ＡＲは画像表示領域を示している。
【０００４】
図１の一点鎖線Ｂ−Ｂ’における断面図である図３に示すように、クッションテープ（ＣＴ１，ＣＴ２）は、液晶表示パネルＬＣＰと該液晶表示パネルを支持するフレームＦＲとの間に配置され、液晶表示パネルと、バックライトＢＬとの間に異物や塵芥が侵入するのを抑制している。また、横電界方式の液晶表示パネルにおいては、外部応力が局所的に印加されるのを抑制するためにも、当該クッションテープが利用されている。
【０００５】
液晶表示装置が矩形状である場合には、液晶表示パネルの外形の４辺に沿ってクッションテープを貼り付けることで、外形の角部にけるクッションテープを互いに密着させ、異物等の侵入経路を遮断することが可能である。しかしながら、図１及び図１の点線部分Ａの拡大図である図２に示すように、異形液晶表示装置においては、液晶表示パネルの角部の一部には、９０°でない角部（図１の楕円状の点線部分）が存在する。このような角部では、図２に示すように、各クッションテープ（ＣＴ１，ＣＴ２）の間に隙間（矢印Ｃ）が形成され、異物等が侵入する原因となっていた。
【先行技術文献】
【特許文献】
【０００６】
【特許文献１】国際公開ＷＯ２００８／０６２５７５号
【発明の概要】
【発明が解決しようとする課題】
【０００７】
本発明が解決しようとする課題は、上述した問題を解消し、９０°でない角部においてもクッションテープ間に隙間が形成されない、異形液晶表示装置を提供することである。
【課題を解決するための手段】
【０００８】
上記課題を解決するため、本発明の異形液晶表示装置は、以下のような技術的特徴を有している。
（１）  液晶表示パネルの平面形状の外形が、９０°でない角部を少なくとも１つ有する異形液晶表示装置において、液晶表示パネルと該液晶表示パネルを支持するフレームとの間には、該液晶表示パネルの外形の辺に沿ったクッションテープを配置し、前記９０°でない角部では、該角部に繋がる２つの辺のクッションテープを接触させて配置すると共に、少なくとも一方の辺のクッションテープの先端の幅を、当該クッションテープの辺の途中の幅よりも狭く構成したことを特徴とする。
【０００９】
（２）  上記（１）に記載の異形液晶表示装置において、該クッションテープの先端は丸く形成されていることを特徴とする。
【００１０】
（３）  上記（１）又は（２）に記載の異形液晶表示装置において、該フレームには、バックライトが支持されていることを特徴とする。
【００１１】
（４）  上記（１）乃至（３）のいずれかに記載の異形液晶表示装置において、該液晶表示パネルは、横電界方式の液晶表示パネルであることを特徴とする。
【発明の効果】
【００１２】
本発明の異形液晶表示装置によれば、９０°でない角部では、該角部に繋がる２つの辺のクッションテープを接触させて配置すると共に、少なくとも一方の辺のクッションテープの先端の幅を、当該クッションテープの辺の途中の幅よりも狭く構成しているため、９０°でない角部においても、クッションテープを互いに密着して配置することができ、クッションテープ間に隙間を形成することを抑制することが可能となる。
【図面の簡単な説明】
【００１３】
【図１】従来の異形液晶表示装置における、液晶表示パネルとクッションテープとの配置関係を説明する平面図である。
【図２】図１における点線Ａにおける拡大図である。
【図３】図１における一点鎖線Ｂ−Ｂ’における断面図である。
【図４】本発明の異形液晶表示装置における、９０°でない角部でのクッションテープの接触状況を説明する図（その１）である。
【図５】クッションテープの端部の形状を説明する図であり、（ａ）は従来例、（ｂ）〜（ｅ）は、本発明の異形液晶表示装置に適用可能な例を示す。
【図６】本発明の異形液晶表示装置における、９０°でない角部でのクッションテープの接触状況を説明する図（その２）である。
【図７】本発明の異形液晶表示装置における、９０°でない角部でのクッションテープの接触状況を説明する図（その３）である。
【発明を実施するための形態】
【００１４】
以下、本発明の異形液晶表示装置について、詳細に説明する。
本発明は、液晶表示パネルの平面形状の外形が、９０°でない角部（図４の点線Ａ）を少なくとも１つ有する異形液晶表示装置において、液晶表示パネルＬＣＰと該液晶表示パネルを支持するフレームとの間には、該液晶表示パネルの外形の辺に沿ったクッションテープ（ＣＴ３，ＣＴ４）を配置し、前記９０°でない角部では、該角に繋がる２つの辺のクッションテープを接触させて配置すると共に、少なくとも一方の辺のクッションテープの先端の幅を、当該クッションテープの辺の途中の幅よりも狭く構成したことを特徴とする。
【００１５】
クッションテープは、スポンジ等の弾性変形する基材の両面に粘着層を設けたものである。図５では、本発明に使用されるクッションテープの先端の形状の例を示す。図５（ａ）は従来のクッションテープの先端であり、本発明では、図５（ｂ）〜（ｅ）に示すように、クッションテープの途中の幅ｗ０よりも先端部分の幅ｗ１〜ｗ４の方が狭くなるよう構成されている。図５（ｂ）は先端を丸く構成したもの、図５（ｃ）は先端を台形に構成したもの、図５（ｄ）及び（ｅ）は先端をテーパ状に構成したものを示している。
【００１６】
図４では、図５（ｂ）のように、クッションテープ（ＣＴ３又はＣＴ４）の先端は丸く形成したものを互いに接触させて配置した状態を示している。本発明は、これらに限らず、クッションテープのいずれか一方のみを丸く構成したものであっても良い。
【００１７】
図６は、図４の実施例と異なり、一方のクッションテープＣＴ５の幅を、他方のクッションテープＣＴ６よりも狭く構成したものである。また、図７は、図５（ｅ）のクッションテープを用い、クッションテープＣＴ８の先端を、他のクッションテープＣＴ７の端部に沿って曲げて配置した構成を示している。
【００１８】
本発明では、図４〜７に示すような、各種構成を採用することで、９０°でない角部においてもクッションテープの先端を互いに密着して配置することができ、図４の矢印Ｄ、図６の矢印Ｅ、図７の矢印Ｆのように、異物等が侵入する隙間の形成を抑制することが可能となる。
【００１９】
本発明の異形液晶表示装置では、図３に示すように、液晶表示パネルＬＣＰの裏面のクッションテープにより、液晶表示パネルを支持するフレームＦＲに接合することが可能である。当該フレームＦＲには、バックライトＢＬを支持させることも可能である。さらに、本発明における「フレーム」には、バックライトを構成する枠部品であるモールドを使用することも可能である。
【００２０】
また、本発明は、液晶表示パネルとして横電界方式の液晶表示パネルを使用する異形液晶表示装置に対して、より好適に適用することが可能である。
【産業上の利用可能性】
【００２１】
以上説明したように、本発明によれば、９０°でない角部においてもクッションテープ間に隙間が形成されない、異形液晶表示装置を提供することができる。
【符号の説明】
【００２２】
ＡＲ  画像表示領域
ＣＴ１〜ＣＴ８  クッションテープ
ＬＣＰ  液晶表示パネル
ＦＲ  フレーム
ＢＬ  バックライト
【図１】
0005688311.tif 000002
【図２】
0005688311.tif 000003
【図３】
0005688311.tif 000004
【図４】
0005688311.tif 000005
【図５】
0005688311.tif 000006
【図６】
0005688311.tif 000007
【図７】
0005688311.tif 000008